(57)【特許請求の範囲】
【請求項１】
筒状に成形して基端側に把持グリップ（１）を装備せしめたボディ（ａ）の先端側に、筒先に吐出口（２ａ）を開設した吐出筒（２）を装設し、ボディ（ａ）内に、供給管（３）を介して供給されるシーラを前記吐出筒（２）に導く流路（ｕ）を設け、その流路（ｕ）の途中に該流路（ｕ）の連通を断接する弁機構（４）を設け、その弁機構（４）と前記把持グリップ（１）の前面側に軸支せる握りレバー（５）とを、該握りレバー（５）の握り込みで弁機構（４）が開弁に作動し、握り込みの解放で閉弁に作動するよう連繋機構（６）を介し連動連繋させ、握りレバー（５）の握り込みにより弁機構（４）が開弁してシーラを吐出し、握り込みの解放により弁機構（４）が閉弁してシーラの吐出を停止するシーラガンにおいて、シーラガン（Ａ）のボディ（ａ）には、チャンバー（７０）の内部に収蔵せるピストン（７１）の作動によりポンプ室（ｐ）が拡張する吸引作動とポンプ室（ｐ）が収縮する吐出作動とを行うポンプ装置（Ｐ）を、ボディ（ａ）と別体に構成して装脱自在に組み付け、そのポンプ装置（Ｐ）のピストン（７１）と握りレバー（５）とを、ポンプ装置（Ｐ）の吸引・吐出の作動が握りレバー（５）の回動作動に連動して行われるよう連繋手段（ｊ）を介して連繋し、かつ、該ポンプ装置（Ｐ）のポンプ室（ｐ）に接続せしめた接続パイプ（７２）の先端側を、ボディ（ａ）の先端側に装備せしめた吐出筒（２）の内部に突入せしめて、該接続パイプ（７２）の先端開口（７２ａ）を吐出筒（２）の内部で吐出口（２ａ）のごく近くの位置に開口せしめたことを特徴とするシーラガン。
【請求項２】
筒状に成形して基端側に把持グリップ（１）を装備せしめたボディ（ａ）の先端側に、筒先に吐出口（２ａ）を開設した吐出筒（２）を装設し、ボディ（ａ）内に、供給管（３）を介して供給されるシーラを前記吐出筒（２）に導く流路（ｕ）を設け、その流路（ｕ）の途中に該流路（ｕ）の連通を断接する弁機構（４）を設け、その弁機構（４）と前記把持グリップ（１）の前面側に軸支せる握りレバー（５）とを、該握りレバー（５）の握り込みで弁機構（４）が開弁に作動し、握り込みの解放で閉弁に作動するよう連繋機構（６）を介し連動連繋させ、握りレバー（５）の握り込みにより弁機構（４）が開弁してシーラを吐出し、握り込みの解放により弁機構（４）が閉弁してシーラの吐出を停止するシーラガンにおいて、シーラガン（Ａ）のボディ（ａ）には、チャンバー（７０）内に収蔵せるピストン（７１）の作動によりポンプ室（ｐ）が拡張する吸引作動とポンプ室（ｐ）が収縮する吐出作動とを行うポンプ装置（Ｐ）を、ボディ（ａ）と別体に構成して装脱自在に組み付け、そのポンプ装置（Ｐ）のピストン（７１）と握りレバー（５）とを、吸引・吐出の作動が握りレバー（５）の回動作動に連動して行われるよう連繋手段（ｊ）を介して連繋し、かつ、ボディ（ａ）の先端側に装備せる吐出筒（２）は、該吐出筒（２）の内部に、シーラの流路（ｕ）の下流側の端部に接続した吐出パイプ（２０）が位置する二重管状に形成し、この吐出パイプ（２０）の外面と吐出筒（２）の内面との間に形成される空間（Ｒ）に対し、前記ポンプ装置（Ｐ）のポンプ室（ｐ）に接続せしめた接続パイプ（７２）の先端側を接続連通させたことを特徴とするシーラガン。
【請求項３】
筒状に成形して基端側に把持グリップ（１）を装備せしめたボディ（ａ）の先端側に、筒先に吐出口（２ａ）を開設した吐出筒（２）を装設し、ボディ（ａ）内に、供給管（３）を介して供給されるシーラを前記吐出筒（２）に導く流路（ｕ）を設け、その流路（ｕ）の途中に該流路（ｕ）の連通を断接する弁機構（４）を設け、その弁機構（４）と前記把持グリップ（１）の前面側に軸支せる握りレバー（５）とを、該握りレバー（５）の握り込みで弁機構（４）が開弁に作動し、握り込みの解放で閉弁に作動するよう連繋機構（６）を介し連動連繋させ、握りレバー（５）の握り込みにより弁機構（４）が開弁してシーラを吐出し、握り込みの解放により弁機構（４）が閉弁してシーラの吐出を停止するシーラガンにおいて、シーラガン（Ａ）のボディ（ａ）には、チャンバー（７０）内に収蔵せるピストン（７１）の作動により、ポンプ室（ｐ）が拡張する吸引作動とポンプ室（ｐ）が収縮する吐出作動とを行うポンプ装置（Ｐ）を、ボディ（ａ）と別体に構成して装脱自在に組み付け、そのポンプ装置（Ｐ）のピストン（７１）と握りレバー（５）とを、ポンプ装置（Ｐ）の吸引・吐出の作動が握りレバー（５）の回動作動に連動して行われるよう連繋手段（ｊ）を介して連繋し、かつ、ボディ（ａ）の先端側に装備せる吐出筒（２）を、内部にシーラの流路（ｕ）の下流側の端部に接続する吐出パイプ（２０）が位置する二重管状に形成し、その吐出パイプ（２０）の先端部を、吐出筒（２）の筒先の吐出口（２ａ）に接続し、その吐出パイプ（２０）の筒壁の、吐出口（２ａ）に近くの部位に、該吐出パイプ（２０）の外面と吐出筒（２）の外面との間に形成される空間（Ｒ）に対し連通する連通口（Ｙ）を開設し、ポンプ装置（Ｐ）のポンプ室（ｐ）に接続せしめた接続パイプ（７２）の先端開口（７２ａ）を前記吐出筒（２）の基端側の部位において、前記吐出パイプ（２０）の外面と吐出筒（２）の内面との間の空間（Ｒ）に対し接続連通させたことを特徴とするシーラガン。
【発明の詳細な説明】
【技術分野】
【０００１】
本発明は、塗布剤または充填剤の液材料（シーラ）を、ボディの先端側に設けた吐出筒の筒先の吐出口から吐出させるシーラガンにおいて、握りレバーの握り込みの解放により弁機構を閉弁させてシーラの吐出を停止させたときに、吐出筒の筒先の吐出口の周辺に生じてくるシーラの液だれを除去消失せしめるようにしたシーラガンに関する。
【背景技術】
【０００２】
塗布剤・充填剤などの液材料（シーラ）を、構造体の隙間・間隔に、塗布・充填する作業に用いられるシーラガンと呼ばれる形態のシーラの吐出装置は、通常、図１に示しているように、筒状に成形して基端側に把持グリップ１を装備せしめたボディａの先端側に、ノズル状に成形して先端に吐出口２ａを開設した吐出筒２を装設し、ボディａ内には、前記把持グリップ１の基端に接続する供給管３により供給されてくるシーラを吐出筒２に導く流路ｕを装設し、その流路ｕの途中には、該流路ｕの連通を断接する弁機構４を設け、その弁機構４と、把持グリップ１の前面側に、把持グリップ１と一緒に握り込めるよう支軸５ａによりボディａに軸支した握りレバー５とを、その握りレバー５を把持グリップ１に近接する姿勢位置に握り込む作動で開弁に作動し、握りレバー５の握り込みを解放して、該握りレバー５が復元バネ６２により把持グリップ１から離れた開放位置に復元回動する作動で、弁機構４が閉弁に作動するよう連繋機構６を介して連繋して、握りレバー５を把持グリップ１と共に握り込むと弁機構４が開弁して吐出筒２の筒先の吐出口２ａからシーラが吐出し、握りレバー５の握り込みを解放すると、弁機構４が閉弁してシーラの吐出を停止するように構成している。
【０００３】
このシーラガンＡは、握りレバー５の握り込みを解放して、シーラの吐出を停止させたときに、吐出筒２の筒先の吐出口２ａの周辺部位に付着してつらら状に垂れ下がるシーラの液だれＳが生じてくるようになる。
【０００４】
このシーラの吐出を停止したときに、シーラガンの吐出筒の筒先に生成されるシーラの液だれＳは、塗布剤・充填剤のシーラが、粘性のある付着性・凝集性の大きい性状のもので、”切れ”が悪いことから、弁機構を閉じて吐出を停止したときに、すでに吐出筒の筒先の吐出口から吐出されたシーラを吐出口に向け引き戻すように吊り上げることで生成してくるものと考えられている。
【０００５】
このシーラの吐出を停止したときに、シーラガンの吐出筒の筒先から垂れ下がるように生じてくるシーラの液だれＳは、放置しておくと、外気に曝されることで、次に塗布・充填作業を行うときには、正常に使用することのできない性状のシーラに変性することから、弁機構を閉弁してシーラの吐出を停止したときに、その都度、生じてきたシーラの液だれＳをシーラガンＡの吐出筒２の筒先から拭き取り廃棄するように処理している。
【０００６】
このことから、シーラガンによるシーラの塗布・充填作業には、シーラの吐出を停止する度ごとに、行う液だれを拭き取る作業のために作業性を悪くしている問題と、液だれを拭い取って廃棄することでシーラの損失を招く問題が生じている。
【発明の概要】
【発明が解決しようとする課題】
【０００７】
本発明において解決しようとする課題は、塗布剤・充填剤の液材料のシーラを吐出せしめるシーラガンを、弁機構の閉弁によりシーラの吐出を停止せしめたときに、吐出筒の筒先の吐出口から垂れ下がるように生成されるシーラの液だれが、生じないように構成する点にある。
【課題を解決するための手段】
【０００８】
上述の課題を解決するための手段として、本発明においては、筒状に成形して基端側に把持グリップ１を装備せしめたボディａの先端側に、筒先に吐出口２ａを開設した吐出筒２を装設し、ボディａ内に、供給管３を介して供給されるシーラを前記吐出筒２に導く流路ｕを設け、その流路ｕの途中に該流路ｕの連通を断接する弁機構４を設け、その弁機構４と前記把持グリップ１の前面側に軸支せる握りレバー５とを、該握りレバー５の握り込みで弁機構４が開弁に作動し、握り込みの解放で閉弁に作動するよう連繋機構６を介し連動連繋させ、握りレバー５の握り込みにより弁機構４が開弁してシーラを吐出し、握り込みの解放により弁機構４が閉弁してシーラの吐出を停止するシーラガンにおいて、シーラガンＡのボディａには、チャンバー７０内に収蔵せるピストン７１の作動によりポンプ室ｐが拡張する吸引作動とポンプ室ｐが収縮する吐出作動とを行うポンプ装置Ｐを、ボディａと別体に構成して装脱自在に組み付け、そのポンプ装置Ｐのピストン７１と握りレバー５とを、ポンプ装置Ｐの吸引・吐出の作動が握りレバー５の回動作動に連動して行われるよう連繋手段ｊを介して連繋し、かつ、該ポンプ装置Ｐのポンプ室ｐに接続せしめた接続パイプ７２の先端側を、ボディａの先端側に装備せしめた吐出筒２内に突入せしめて、それの先端開口７２ａを吐出筒２の内部で吐出口２ａの近傍位置に開口せしめたことを特徴とするシーラガンを提起するものである。
そして、これに併せて、上述の握りレバー５の握り込みで弁機構４が開弁してシーラを吐出した握り込みの解放により弁機構４が閉弁してシーラの吐出が停止するシーラガンにおいて、シーラガンＡのボディａには、チャンバー７０内に収蔵せるピストン７１の作動によりポンプ室ｐが拡張する吸引作動とポンプ室ｐが収縮する吐出作動とを行うポンプ装置Ｐを、ボディａと別体に構成して装脱自在に組み付け、そのポンプ装置Ｐのピストン７１と握りレバー５とを、吸引・吐出の作動が握りレバー５の回動作動に連動して行われるよう連繋手段ｊを介して連繋し、かつ、ボディａの先端側に装備せる吐出筒２は、該吐出筒２の内部に、シーラの流路ｕの下流側の端部に接続した吐出パイプ２０が位置する二重管状に形成し、この吐出パイプ２０の外面と吐出筒２の内面との間に形成される空間Ｒに対し、前記ポンプ装置Ｐのポンプ室ｐに接続せしめた接続パイプ７２の先端側を接続連通させたことを特徴とするシーラガン。
および、上述の握りレバー５の握り込みにより弁機構４が開弁してシーラを吐出し、握り込みの解放により弁機構４が閉弁してシーラの吐出を停止するシーラガンにおいて、シーラガンＡのボディａには、チャンバー７０内に収蔵せるピストン７１の作動により、ポンプ室ｐが拡張する吸引作動とポンプ室ｐが収縮する吐出作動とを行うポンプ装置Ｐを、ボディａと別体に構成して装脱自在に組み付け、そのポンプ装置Ｐのピストン７１と握りレバー５とを、ポンプ装置Ｐの吸引・吐出の作動が握りレバー５の回動作動に連動して行われるよう連繋手段ｊを介して連繋し、かつ、ボディａの先端側に装備せる吐出筒２を、内部にシーラの流路ｕの下流側の端部に接続する吐出パイプ２０が位置する二重管状に形成し、その吐出パイプ２０の先端部を、吐出筒２の筒先の吐出口２ａに接続し、その吐出パイプ２０の筒壁の、吐出口２ａに近くの部位に、該吐出パイプ２０の外面と吐出筒２の外面との間に形成される空間Ｒに対し連通する連通口Ｙを開設し、ポンプ装置Ｐのポンプ室ｐに接続せしめた接続パイプ７２の先端開口７２ａを前記吐出パイプ２０外面と吐出筒２内面との間の空間Ｒに対し接続連通させたことを特徴とするシーラガンを提起するものである。
【発明の効果】
【０００９】
本発明手段によれば、シーラガンＡの握りレバー５の握り込みを解放して弁機構４を閉弁とし、シーラの吐出を停止させたときに、シーラガンＡと別体に構成してそのシーラガンＡのボディａの外面に組み付けたポンプ装置Ｐが吸引作動を行い、その吸引圧が、ポンプ室ｐと接続する接続パイプ７２を介して、シーラガンＡの吐出筒２の内部に作用し、吐出筒２内に残留しているシーラおよび吐出筒２の筒先の吐出口２ａから吐出して筒先から垂れ下がっているシーラを、吐出筒２内を経てポンプ装置Ｐのポンプ室ｐに引き込むようになるので、シーラの吐出を停止させたときに生ずるシーラの液だれを消失せしめ得るようになる。
【００１０】
また、本発明手段は、閉弁によりシーラの吐出を停止させたときに生じてくるシーラの液だれを、ポンプ装置Ｐによる吸引圧により吸引除去して消失せしめるのに、シーラガンＡとは別体に構成したポンプ装置Ｐを用い、それをシーラガンＡのボディａの外面に装脱自在に組み付け、そのポンプ装置Ｐの拡縮するポンプ室ｐに接続する接続パイプ７２の先端開口７２ａを、シーラガンＡの先端側に設けた吐出筒２の内部空間に対し接続連通させることで行っているのだから、既存のシーラガンに対し吐出筒２を付け換えるだけで、本体のボディａには大きな変更・改造を加えることなく実施できる。
【図面の簡単な説明】
【００１１】
【図１】従前のシーラガンの縦断側面図である。
【図２】本発明手段を実施せるシーラガンの握りレバーの握り込みを解放した状態時の縦断側面図である。
【図３】同上シーラガンの握りレバーを握り込み回動させた状態時の縦断側面図である。
【図４】本発明手段の別の実施例のシーラガンで、握りレバーの握り込みを解放した状態時の縦断側面図である。
【図５】同上実施例のシーラガンで、握りレバーを握り込み回動させた状態時の縦断側面図である。
【図６】本発明手段のさらに別の実施例のシーラガンで、握りレバーの握り込みを解放した状態時の縦断側面図である。
【図７】同上の実施例のシーラガンで、握りレバーを握り込み回動させた状態時の縦断側面図である。
【発明を実施するための形態】
【００１２】
次に本発明の実施の態様を、実施例につき図面に従い詳述する。
【実施例１】
【００１３】
図２、図３は、本発明手段の第１の実施例のシーラガンを示している。図において、Ａはシーラガンの全体、ａはそのシーラガンＡのボディ、１はボディａの基端側に設けた把持グリップ、２はボディａの先端側に設けた吐出筒、２ａはその吐出筒２の筒先に開設した吐出口、３はシーラガンＡにシーラを供給する供給管、ｕはその供給管３によりボディａに供給されてくるシーラをボディａの先端部の吐出筒２内に導くようボディａ内に設けたシーラの流路、４はその流路ｕの連通を断接するよう流路ｕの途中に設けた弁機構、５は把持グリップ１の前面側に配位してボディａに支軸５ａにより軸支した握りレバー、６はこの握りレバー５の回動作動と弁機構４の開弁・閉弁の作動とを連動連繋させる連繋機構、Ｐは、シーラガンＡと別体に構成したポンプ装置、Ｍはこの別体に構成したポンプ装置ＰをシーラガンＡのボディａの外面側に装脱自在に組み付けている組付部材、ｊは、ポンプ装置Ｐの吸引・吐出の作動が、握りレバー５の回動作動に連動して行われるようにポンプ装置Ｐと握りレバー５とを連繋する連繋手段を示す。
【００１４】
ボディａは前後（図において左右）に長い中空の筒状に成形してあり、それの内腔には、前端側に弁機構４の弁軸４０を設けた作動シャフト８を、前後方向にスライド自在に収蔵している。また、基端側（後端側）に設けた把持グリップ１は一体に連続する状態として成形してあり、シーラの流路ｕは、この把持グリップ１の下端から先端部の吐出筒２の内腔に至るよう形設してある。
【００１５】
ボディａの先端側に設ける吐出筒２は、前記流路ｕを介し送給されてくるシーラを、筒先の吐出口２ａから吐出するノズル状に形成するが、この例では、内部の軸芯部に、ポンプ装置Ｐのポンプ室ｐに接続する接続パイプ７２の先端側を収蔵せしめて、二重管状に構成するよう幾分大径に形成してある。また、基端側は、拡径した嵌合筒部２ｂに形成し、この嵌合筒部２ｂを、ボディａの先端部に装設した嵌合軸部１０の外周に、ねじなどの係合機構を介し嵌合して接続することで、装脱自在に接続装着してある。
【００１６】
弁機構４は、ボディａ内に前後方向（図において左右方向）にスライド自在に収蔵せしめた弁軸４０と、ボディａの内周面に開設した弁口４２とからなり、握りレバー５を把持グリップ１とともに握り込むと、弁機構４が開弁して供給管３から供給されてくるシーラが、誘導路ｕを経て吐出筒２に導かれて、その吐出筒２の筒先の吐出口２０から吐出され、握りレバー５の握り込みを放すと、弁機構４が閉弁に作動して、シーラの吐出を停止するように構成してある。
【００１７】
ポンプ装置Ｐは、往動・復動の作動をする往復動機構の作動によりポンプ室（拡縮室）が拡縮して吸引・吐出の作動をする通常のポンプ装置であり、この例では、内部をシリンダ状に成形して軸方向の両端部を盲板状の壁板７ａ・７ｂで封塞した軸筒状のチャンバー７０を形成し、これの内部にピストン７１を軸方向に摺動自在に嵌挿し、これに連結するロッド７３を、チャンバー７０の軸方向の一端側である前端側に延出せしめて、それの延出端部とチャンバー７０内に設けた係止部材７４との間に、ピストン７１を後方に引き寄せるよう付勢するバネ部材７５を設けて、ピストン７１を常態においてチャンバー７０内の前端側に寄せた位置に保持せしめ、この位置を占めるピストン７１の後面とチャンバー７０の後端側の壁板７ｂの内面との間に形成される空間を、ピストン７１の移動により拡縮するポンプ室ｐに形成し、ピストン７１の後面側には、そのピストン７１を前述のバネ部材７５の付勢に抗して後方に牽引せしめる牽引杆７６を連結して、その牽引杆７６の後端側をチャンバー７０の後端側の壁板７ｂから後方に突出させ、チャンバー７０の周壁の後端側に寄る部位には、前記ポンプ室ｐに接続する吸引・吐出口を開設し、これに接続パイプ７２を接続し、これにより、牽引杆７６を牽引してピストン７１を後方に引き寄せると、ポンプ室ｐが圧縮されて、正圧が生じ接続パイプ７２から吐出する吐出作動を行い、牽引杆７６の牽引を放すと、バネ部材７５のバネ圧によりピストン７１が前方に動いてポンプ室ｐが拡張し、それにより生ずる負圧で接続パイプ７２から吸引する吸引作動を行うように構成している。
【００１８】
そして、このポンプ装置Ｐは、チャンバー７０を軸方向が前後方向に沿う姿勢として、シーラガンＡの吐出筒２と並列する位置に配し、ポンプ室ｐに接続する接続パイプ７２の先端側を、吐出筒２の筒壁の基端側に寄る部位に開設せる接続口を介し、吐出筒２内に突入せしめ、吐出筒２の筒先の吐出口２ａに向け屈曲させて、先端の開口７２ａを吐出筒２の吐出口２ａの手前に位置させ、この状態において、組付部材Ｍによりチャンバー７０を吐出筒２に固定することで、シーラガンＡに対し一体的に組み付けてある。
【００１９】
連繋手段ｊは、ポンプ装置Ｐの吸引・吐出の作動が、握りレバー５の回動作動と連動・連繋して行われるように連繋する手段であり、この例においては、チャンバー７０の後端側から突出する牽引杆７６の突出端部に、ワイヤー９の一端側を連繋し、そのワイヤー９をシーラガンＡのボディａの下面側に沿い後方に導き、他端側を、握りレバー５の支軸５ａより下方に位置する部位に連繋することで、握りレバー５を握り込むと、ワイヤー９を介し牽引杆７６が引き出されて、ピストン７１が後方に動きポンプ室ｐを圧縮させていく吐出作動を行い、握りレバー５の握り込みを放すと、握りレバー５が復元バネ６２により復元回動してワイヤー９の牽引を消失させることで、ピストン７１がバネ部材７５のバネ圧で前方に動き、ポンプ室ｐを拡張させて吸引作動を行うようにしている。連繋手段ｊはワイヤー以外にも板状、棒状のものでもかまわない。
【００２０】
このように構成している実施例装置は、握りレバー５を握り込み、弁機構４を開弁させてシーラを吐出させているときは、ポンプ装置Ｐは、ピストン７１が吐出作動のエンドに達した状態に保持される。そして、握りレバー５の握り込みを放して、シーラの吐出を停止させると、ポンプ装置Ｐのピストン７１がバネ部材  のバネ圧で後方に動いて、ポンプ室ｐを拡張させる吸引作動を行い、負圧を吐出筒２の内部で吐出口２ａの近くに作用させ、吐出筒２の筒先から垂れ下がるように生成してくるシーラを、この負圧によりポンプ室ｐ内に吸引していくようになる。
【実施例２】
【００２１】
図４・図５は、別の実施例のシーラガンの縦断側面図を示している。この例は、握りレバー５を握り込む作動で、弁機構４が開弁に作動してシーラを吐出筒２の筒先の吐出口２ａから吐出させ、握りレバー５の握り込みを解放する作動で弁機構４が閉弁に作動してシーラの吐出を停止させるように構成してあるシーラガンＡのボディａに、往動・復動の作動するピストン７１の作動によりポンプ室ｐが拡縮して吸引作動と吐出作動とを行うポンプ装置Ｐを、別体に形成して、組付部材Ｍにより一体的に組み付け、そのポンプ装置Ｐのポンプ室ｐに接続する接続パイプ７２の先端側を、吐出筒２の内部の空間に対し連通開放させ、このポンプ装置Ｐの吸引・吐出の作動が、握りレバー５の回動作動と連動して行われるよう連繋手段ｊを介し連繋させておき、握りレバー５の握り込みを解放して、弁機構４を閉弁に作動させて支の吐出を停止させると、これに連動してポンプ装置Ｐが吸引作動を行い、それのポンプ室ｐに接続する接続パイプ７２により吐出筒２の内腔に対し負圧を作用させるようになって、その負圧により吐出筒２の吐出口２ａから筒先の外面側に垂れ下がるように生じてくるシーラの液だれを、吐出筒２内に引き込んで接続パイプ７２を経てポンプ室ｐ内に吸引せしめ、除去消失せしめる状態とすることについては、前述の実施例のものと変わりがなく、同じ構成部材については同じ符号を付している。
【００２２】
また、シーラガンＡは、ボディａ内に設けたシーラの流路ｕの下流側の端部を、ボディａの先端部に装着した吐出筒２の内部空間に対し接続連通させて、その流路ｕにより導いてきたシーラを、吐出筒２内に送り込み、その吐出筒２の筒先の吐出口２ａから外部に吐出させるようにすることについても、従前のシーラガンを含めた前述の実施例１のものと変わりがない。
【００２３】
しかし、この実施例のものは、シーラの流路ｕの下流側の端部には、ノズル状に形成した（吐出管）吐出パイプ２０が接続して設けてあり、この吐出パイプ２０が、ボディａの先端部に装着した吐出筒２の内部の軸芯位置を占めるように吐出筒２内に突入させてある。
【００２４】
また、吐出筒２は、この吐出パイプ２０を包み込むように収蔵せしめるため幾分大径に形成して、吐出パイプ２０とで二重管を構成するようにしてあって、軸芯部に位置するこの吐出パイプ２０の外周と吐出筒２の内周面との間に、環状の空間Ｒが形成されるようにしてある。
【００２５】
そして、ポンプ装置Ｐのポンプ室ｐに接続する接続パイプ７２は、それの先端側の開口を、この吐出筒２の内周面と吐出パイプ２０の外周面との間に形成される環状の空間Ｒに対し接続連通させてある。
【００２６】
このため、握りレバー５を把持グリップ１と共に握り込んで、弁機構４を開弁に作動させたときは、流路ｕを経て導かれてくるシーラが、吐出パイプ２０に流入し、その吐出パイプ２０により吐出筒２の吐出口２ａの近傍に位置する先端開口まで圧送され、その吐出パイプ２０の先端開口から、近接して対向する吐出筒２の吐出口２ａに向けるように吐出筒２内に吐出した後、吐出口２ａを流過して外部に吐出していくようになる。このとき、ポンプ装置Ｐは、弁機構４の開弁作動と連動して吐出作動を行い、それにより吐出筒２内に正圧を作用させるようになるので、吐出パイプ２０の先端開口から吐出筒２内に吐出するシーラは、吐出パイプ２０の外周面と吐出筒２の内周面との間に形成される空間Ｒ内に回り込んで吐出パイプ２０の基端側に逆流することなく、吐出口２ａに向けてそのまま流れ、吐出口２ａを経て外部に吐出されていくようになる。
【００２７】
また、握りレバー５の握り込みを解放して、弁機構４を閉弁に作動させ、シーラの吐出を停止させたときは、この作動に連動してポンプ装置Ｐが吸引作動を行って、それにより吐出筒２内に負圧を作用させるようになるので、吐出筒２の筒先から垂れ下がるように生じてくるシーラの液だれを、吐出筒２内に引き込み、吐出パイプ２０の外周面と吐出筒２の内周面との間に形成される空間Ｒを流路としてポンプ装置Ｐのポンプ室ｐに吸引し収容していくようになって、シーラの液だれを効果的に吸引・除去せしめるようになる。
【００２８】
そして、このポンプ室ｐ及び吐出筒２内の空間に吸引し収容せしめたシーラは、次に、握りレバー５を握り込んで、シーラを吐出させるときに、その握りレバー５の握り込みの作動と連動するポンプ装置Ｐの吐出作動により吐出筒２内に作用してくる正圧によって、吐出筒２の吐出口２ａから押し出されるようになるので、握りレバー５を放して、シーラの吐出を停止させたときの、ポンプ装置Ｐの吸引作動によるシーラの液だれの吸引・除去の作動に支障を与えることはない。
【実施例３】
【００２９】
図６・図７は、さらに別の実施例を示している。この例は、前述の実施例２の変形例であり、シーラの流路の下流側の端部に接続して設けた吐出パイプ２０を、長く延出せしめてそれの先端側を吐出筒２の筒先の吐出口２ａに嵌挿して接続し、該吐出パイプ２０の先端開口を直接に吐出筒２の筒先の外に開口させて、この吐出パイプ２０の先端開口が実質的にシーラの吐出口となるようにしていること、また、吐出筒２は、基端側の嵌合筒部２ｂの内部に、拡径した連通室２ｃを形設して、ここにポンプ室ｐに接続せる接続パイプ７２を接続連通させていること、また、吐出パイプ２０の筒壁に、吐出筒２の内腔に対して連通口Ｙを設けて、ポンプ装置Ｐの吸引作動で生じてくる負圧により、吐出筒２の筒先から垂れ下がるシーラの液だれを吐出筒２内に引き込ませるときに、この吐出パイプ２０に設けた連通穴Ｙを介して、負圧が液だれのシーラに作用していくようにしていること、について相違しているだけで、その余の構成については、実施例２のものと基本的には変わらないもので、同じ構成部材について同一の符号を付している。
【００３０】
これら構成部材は、図面に従い具体的にいえば、ａはシーラガンＡのボディ、１はそのボディａの基端側に設けた把持グリップ、２はボディａの先端側に設けた吐出筒、３はシーラをボディａに対し供給する供給管、ｕはその供給管３により供給されてくるシーラを吐出筒２に向けて導くシーラの流路、４はその流路ｕの途中に設けた弁機構、５はこの弁機構４の開弁・閉弁の作動を行わすべく把持グリップ１の前面に一緒に握り込めるよう軸支した握りレバー、Ｐは別体に構成したポンプ装置、Ｍはそのポンプ装置ＰをシーラガンＡのボディａに一体的に組み付けている組付部材、ｊはポンプ装置Ｐの牽引杆７６と握りレバー５とを連繋する連繋手段を示す。
【００３１】
ポンプ装置Ｐは、シーラガンＡのボディａと別体に形成した軸筒状のチャンバー７０と、そのチャンバー７０の内部に軸方向の摺動自在に嵌装したピストン７１と、そのピストン７１をチャンバー７０の内腔における前端側に向け移動させるよう付勢するバネ部材７５と、ピストン７１を前記バネ部材７５の付勢に抗して後方に引き戻すようピストン７１の後面側に連結した牽引杆７６と、ピストン７１の後面とチャンバー７０の後端側の壁板７ｂの前面との間に形成される拡縮するポンプ室ｐと、そのポンプ室ｐに接続する接続パイプ７２と、からなり、牽引杆７６が後方に引き出されるとピストン７１が後方に動いてポンプ室ｐを圧縮し、それにより生ずる正圧が、接続パイプ７２を介して吐出筒２内に作用するようになる。また、牽引杆７６の引き出しを解除すると、ピストン７１がバネ部材７５のバネ圧で前方に動いて、ポンプ室ｐを拡張させ、それにより生ずる負圧が、接続パイプ７２を介して吐出筒２の内部に作用するようになる。
【００３２】
組付部材Ｍは、ポンプ装置ＰをシーラガンＡのボディａに組み付ける部材で、チャンバー７０の胴部外面を保持して、ボディａに緊縛保持せしめるバンド状に形成してあり、この例においては、ボディａの先端側に装脱自在に取り付けた吐出筒２の外面にポンプ装置Ｐを組み付けるようにしてあって、吐出筒２にポンプ装置Ｐを組み付けた状態として、その吐出筒２をボディａに装着することで、ポンプ装置Ｐがボディａに対し一体的に組み付けられるようにしてある。
【００３３】
ポンプ装置Ｐの作動と握りレバー５の作動とを連繋させる連繋手段ｊは、この例においては、ポンプ装置Ｐのチャンバー７０の後端から突出する牽引杆７６の後端部に、ワイヤー９の一端を連繋し、そのワイヤー９の他端を、把持グリップ１の前面に軸支した握りレバー５の前端部で、支軸５ａより下方に位置する部位に連繋することで構成してある。そして、これにより、握りレバー５を握り込んで後方に回動させると、牽引杆７６が引き出されてピストン７１が後方に動いてポンプ装置Ｐに吐出作動を行わせ、握りレバー５を放すと、牽引杆７６の引き出しが解放されてピストン７１がバネ部材７５により前方に動いて、ポンプ装置Ｐに吸引作動を行わせるようにしてある。
【００３４】
吐出パイプ２０の筒壁に開設した連通口Ｙは、握りレバー５の握り込みを解放してシーラの突出を停止させ、これに連動して作動するポンプ装置Ｐに吸引作動を行わせて、それにより生ずる負圧を、接続パイプ７２を介して吐出筒２内に作用させたときに、その負圧が、吐出筒２の筒先から垂れ下がるように形成されてくるシーラの液だれに対し作用するようにするためのもので、吐出パイプ２０の筒壁の部分で、吐出口２ａに近接する部位に開口させてあり、吐出口２ａから突出する吐出パイプ２０の先端開口から垂れ下がるように形成されてくるシーラの液だれを、図７で矢印で示している如く、吐出パイプ２０内に引き込んだ後、この連通口Ｙから吐出筒２の内腔に引き込み、接続パイプ７２を介しポンプ室ｐに吸引させるようにしている。
【符号の説明】
【００３５】
Ａ    シーラガン
Ｐ    ポンプ装置
Ｍ    組付部材
Ｒ    空間
Ｓ    シーラの液だれ
Ｙ    連通口
ａ    ボディ
ｊ    連繋手段
ｐ    ポンプ室
ｕ    流路
１    把持グリップ
１０    嵌合軸部
２    吐出筒
２ａ  吐出口
２ｂ  嵌合筒部
２ｃ  連通室
２０    吐出パイプ
３    供給管
４    弁機構
４０    弁軸
４１    弁座口
４２    弁口
５    握りレバー
５ａ  支軸
６    連繋機構
６０    係合部材
６１    突起部材
６２    復元バネ
７ａ・７ｂ  壁板
７０    チャンバー
７１    ピストン
７２    接続パイプ
７２ａ  先端開口
７３    ロッド
７４    係止部材
７５    バネ部材
７６    牽引杆
８    作動シャフト
９    ワイヤー
【図１】
0005586426.tif 000002
【図２】
0005586426.tif 000003
【図３】
0005586426.tif 000004
【図４】
0005586426.tif 000005
【図５】
0005586426.tif 000006
【図６】
0005586426.tif 000007
【図７】
0005586426.tif 000008